(57)【要約】【課題】給紙部の紙粉取りローラや帯電部材のアース経路を確実に、かつ、簡素に構成することができる画像形成装置を提供する。【解決手段】導電軸受１０２に一体的に備えられた保持部１０８において、第１ワイヤ１０５の一端部１０５Ａと第２ワイヤ１０６の一端部１０６Ａとが強固に導通され、かつ、第２ワイヤ１０６の他端部の導通用フック１０６Ｂと第３ワイヤ１０７の中間部の被係合部１０７Ｄとが強固に導通されることにより、紙粉取りローラ２８、レジストローラ２９およびシュート板金１０４のアース経路が確実に、かつ、簡素に構成される。【選択図】図５
2015055867.tif 000002
【特許請求の範囲】
【請求項１】
搬送される用紙に付着した紙粉を取る紙粉取りローラと、
前記紙粉取りローラを軸支する導電性樹脂からなる導電軸受と、
前記導電軸受を支持するフレームと、
前記フレームに支持され、紙粉取りもしくは用紙搬送の機能を有する導電部材に導通される第１ワイヤと、
前記フレームが支持される装置本体のアースを取るアース部材に導通される第２ワイヤとを備え、
前記導電軸受は、前記第１ワイヤと前記第２ワイヤとを保持するための保持部を一体的に備え、
前記第１ワイヤと前記第２ワイヤとは、前記保持部で接触して導通されることを特徴とする画像形成装置。
【請求項２】
前記保持部は、開放端と閉塞端とを有する略U字状に形成され、
前記第１ワイヤの一端側と前記第２ワイヤの一端側は、前記保持部の開放端から閉塞端に向けて付勢されて保持されていることを特徴とする請求項１に記載の画像形成装置。
【請求項３】
前記保持部は、前記開放端から前記閉塞端に近づくにつれて内側の空間が狭くなるように傾斜した傾斜面を有することを特徴とする請求項１または２に記載の画像形成装置。
【請求項４】
前記フレームは、前記導電軸受を支持し、互いに向かい合う一対の支持壁部と、
前記一対の支持壁部の内側に搬送される用紙を案内するように配置された前記導電部材としてのシュート板金とを備え、
前記保持部は、前記フレームにおける前記支持壁部の外側に配置されており、
前記第１ワイヤの他端部は、前記フレームにおける前記支持壁部の内側に延びて前記シュート板金に導通されていることを特徴とする請求項１〜３の何れか１の請求項に記載の画像形成装置。
【請求項５】
前記フレームに支持されて前記紙粉取りローラに対向するレジストローラと、
前記レジストローラに導通される第３ワイヤとを備え、
前記第３ワイヤと前記第２ワイヤとが導通するように構成されていることを特徴とする請求項１〜４の何れか１の請求項に記載の画像形成装置。
【請求項６】
前記第２ワイヤの他端部は、前記第３ワイヤの中間部分に係合して導通される導通用フックを有することを特徴とする請求項５に記載の画像形成装置。
【請求項７】
前記第３ワイヤの中間部分が当該中間部分の延在方向と直交する方向へ移動するのを規制するための規制部が前記フレームに設けられていることを特徴とする請求項６に記載の画像形成装置。
【請求項８】
前記第２ワイヤは、前記フレームに形成された当接面に当接する支点部と、この支点部から前記導通用フックと反対側に前記当接面から離間して配置された力点部とを有することを特徴とする請求項６または７に記載の画像形成装置。
【請求項９】
前記第３ワイヤは、前記アース部材に弾性的に接触するバネ部を有することを特徴とする請求項５〜８の何れか１の請求項に記載の画像形成装置。
【発明の詳細な説明】
【技術分野】
【０００１】
本発明は、紙粉取りローラを備えた画像形成装置に関する。
【背景技術】
【０００２】
レーザプリンタやデジタル複写機などの画像形成装置として、給紙ローラにより給紙される用紙に付着した紙粉を除去する紙粉取りローラを備えた画像形成装置が知られている。
【０００３】
この種の画像形成装置として、例えば、特許文献１には、紙粉取りローラ周辺にアースを取るように構成された部材を複数備えた画像形成装置が記載されている。詳細に説明すると、特許文献１に記載の画像形成装置は、紙粉取りローラにより除去された紙粉を搬送するスパイラルローラを備えている。スパイラルローラは、紙粉を良好に搬送するために、スパイラルローラの金属軸とスパイラル状の歯の側面を導電性として、その導電性を有する部分からアースを取っている。また、スパイラルローラにより搬送された紙粉を回収する紙粉回収部のカバーと、搬送された紙粉を除電する除電部材もアースを取るような構成となっている。
【先行技術文献】
【特許文献】
【０００４】
【特許文献１】特開２００９−２９８５５９号公報
【発明の概要】
【発明が解決しようとする課題】
【０００５】
ところで、特許文献１に記載の画像形成装置においては、紙粉取りローラを含め、複数のアースを取るべき部材が配置されている。このように複数の部材が様々な位置にばらついて配置されていると、それぞれの部材のアースを取るための構成が複雑化してしまうことがある。
【０００６】
そこで、本発明は、給紙部の紙粉取りローラや導電部材のアース経路をフレームの片側に簡素に構成することができる画像形成装置を提供することを課題とする。
【課題を解決するための手段】
【０００７】
前述した課題を解決するための本発明に係る画像形成装置は、搬送される用紙に付着した紙粉を取る紙粉取りローラと、紙粉取りローラを軸支する導電性樹脂からなる導電軸受と、導電軸受を支持するフレームと、フレームに支持され、紙粉取りもしくは用紙搬送の機能を有する導電部材に導通される第１ワイヤと、フレームが支持される装置本体のアースを取るアース部材に導通される第２ワイヤとを備える。導電軸受は、第１ワイヤと第２ワイヤとを保持するための保持部を一体的に備える。第１ワイヤと第２ワイヤとは、保持部で接触して導通される。
【０００８】
この画像形成装置では、紙粉取りローラを軸支する導電軸受に一体的に備えられた保持部において、導電部材に導通される第１ワイヤと装置本体のアースを取るアース部材に導通される第２ワイヤとが相互に接触して導通されるため、紙粉取りローラのアース経路と導電部材のアース経路とがフレームの片側に簡素に構成される。
【０００９】
前記した画像形成装置において、保持部は、開放端と閉塞端とを有する略U字状に形成されているのが好ましい。この場合、保持部は、開放端から閉塞端に近づくにつれて内側の空間が狭くなるように傾斜した傾斜面を有しているのが好ましい。そして、第１ワイヤの一端側と第２ワイヤの一端側は、保持部の開放端から閉塞端に向けて付勢されて保持されているのが好ましい。
【００１０】
導電軸受および導電部材を支持するフレームは、導電軸受を支持し、互いに向かい合う一対の支持壁部と、一対の支持壁部の内側に搬送される用紙を案内するように配置された導電部材としてのシュート板金とを備えることができる。この場合、保持部は、フレームにおける片側の支持壁部の外側に配置されており、第１ワイヤの他端部は、フレームにおける片側の支持壁部の内側に延びてシュート板金に導通される。
【００１１】
画像形成装置は、フレームに支持されて紙粉取りローラに対向するレジストローラと、レジストローラおよびアース部材に導通される第３ワイヤとを備えることができる。この場合、第３ワイヤと第２ワイヤとが接触するように構成されることで、第２ワイヤが第３ワイヤを介してアース部材に導通される。
【００１２】
ここで、第２ワイヤの他端部は、第３ワイヤの中間部分に係合して導通される導通用フックを有する構造とすることができる。この場合、フレームには、第３ワイヤの中間部分が当該中間部分の延在方向と直交する方向へ移動するのを規制するための規制部がフレームに設けられているのが好ましい。
【００１３】
第２ワイヤは、フレームに形成された当接面に当接する支点部と、この支点部から導通用フックと反対側に当接面から離間して配置された力点部とを有する構造とすることができる。この場合、第２ワイヤは、フレームの当接面に支点部を当接させた状態で力点部を押圧することで、導通用フックが持ち上がるので、導通用フックを第３ワイヤの中間部分に係合させり作業が容易となる。
【００１４】
ここで、第３ワイヤは、アース部材に弾性的に接触するバネ部を有しているのが好ましい。
【発明の効果】
【００１５】
本発明に係る画像形成装置によれば、紙粉取りローラを軸支する導電軸受に一体的に備えられた保持部において、導電部材に導通される第１ワイヤと装置本体のアースを取るアース部材に導通される第２ワイヤとが相互に接触して導通されるため、紙粉取りローラのアース経路と導電部材のアース経路とをフレームの片側に簡素に構成することができる。
【図面の簡単な説明】
【００１６】
【図１】本発明の一実施形態に係る画像形成装置としてのカラープリンタの概略構成を示す側断面図である。
【図２】図１に示した給紙部の紙粉取りローラおよびレジストローラを給紙フレームに支持した給紙ユニットの概観を右後側から見て示す斜視図である。
【図３】図２に示した給紙フレームに支持される導電軸受およびシュート板金を紙粉取りローラおよびレジストローラと共に示す斜視図である。
【図４】図３に示した導電軸受およびシュート板金を紙粉取りローラおよびレジストローラと共に示す他の斜視図である。
【図５】図３に示した第１ワイヤ、第２ワイヤ、第３ワイヤの形状を拡大して示す斜視図である。
【図６】図５に示した第１ワイヤ、第２ワイヤの形状を拡大して示す斜視図である。
【図７】図２に示した給紙フレームの右側後部を拡大して示す部分斜視図である。
【図８】図６に示した保持部に第２ワイヤの一端部が係止される直前の状態を示し、（ａ）は保持部付近の斜視図、（ｂ）は保持部の断面図である。
【図９】図６に示した保持部に第２ワイヤの一端部が係止された状態を示し、（ａ）は保持部付近の斜視図、（ｂ）は保持部の断面図である。
【図１０】図５に示した第２ワイヤの導通用フックを第３ワイヤの被係合部に係合させる作業の経過を示し、（ａ）は作業前の状態を示す正面図、（ｂ）は作業途中の状態を示す正面図、（ｃ）は作業後の状態を示す正面図である。
【図１１】図１０の（ｂ）に示した作業途中における第２ワイヤへの操作を示す説明図である。
【発明を実施するための形態】
【００１７】
以下、本発明に係る画像形成装置の実施形態について、適宜図面を参照しながら詳細に説明する。一実施形態の画像形成装置は、例えば図１に示すようなカラープリンタ１として具現化されている。なお、以下の説明においては、カラープリンタ１を使用するユーザが対面する側、すなわち図１の紙面の左側を「前」とし、右側を「後」、上下方向を「上下」、手前側を「右」、奥側を「左」とする。
【００１８】
＜カラープリンタの概略構成＞
図１に示すように、カラープリンタ１は、本体フレーム１０内の下部に配置された給紙部２０と、本体フレーム１０内の上部に配置された画像形成部３０と、本体フレーム１０内の後部に配置された定着部８０および排紙部９０とを主に備えている。そして、本体フレーム１０の上側には、後側を回動中心として上下に開閉可能に構成されたアッパーカバー１２が設けられている。
【００１９】
給紙部２０は、用紙Ｓを収容する用紙トレイ２１と、用紙Ｓを上方に付勢する用紙押圧板２２と、上方に付勢された用紙Ｓを摩擦接触により前方に繰り出す給紙ローラ２３と、繰り出された用紙Ｓを１枚づつ分離するための分離ローラ２４および分離パッド２５とを備えている。そして、給紙部２０の下流側には、用紙Ｓを上方から後方に反転させて搬送するための搬送部として、搬送ローラ２６およびピンチローラ２７と、紙粉取りローラ２８およびレジストローラ２９とが配置されている。
【００２０】
この給紙部２０では、用紙トレイ２１に収容された用紙Ｓが給紙ローラ２３の回転に伴い前方に繰り出されて分離ローラ２４および分離パッド２５により１枚づつ分離される。そして、用紙Ｓは、搬送部の搬送ローラ２６およびピンチローラ２７により上方に搬送され、紙粉取りローラ２８およびレジストローラ２９により後方の画像形成部３０側へ搬送される。
【００２１】
この搬送部による用紙Ｓの搬送過程において、紙粉取りローラ２８は、摩擦帯電による静電気により、搬送される用紙Ｓに付着している紙粉を吸着して回収する。また、レジストローラ２９は、画像形成部３０側へ搬送される用紙Ｓの斜行を矯正する。
【００２２】
画像形成部３０は、４つのＬＥＤユニット４０と、４つのプロセスカートリッジ５０と、転写ユニット７０とから主に構成されている。各プロセスカートリッジ５０は、感光体カートリッジ５１と、感光体カートリッジ５１に対して着脱自在な現像カートリッジ６１とを備えている。
【００２３】
ＬＥＤユニット４０は、感光体ドラム５３の上方に配置され、その下端に左右方向に配列された図示しない複数のＬＥＤ（発光ダイオード）を備えている。このＬＥＤユニット４０は、画像データに基づいてＬＥＤが明滅することで、感光体ドラム５３の表面を露光する。また、ＬＥＤユニット４０は、アッパーカバー１２に保持されており、アッパーカバー１２を開くことで感光体ドラム５３から離間する。
【００２４】
各プロセスカートリッジ５０は、アッパーカバー１２と給紙トレイ２１との間で前後方向に沿って複数並んで配置されており、アッパーカバー１２が開かれた状態において本体フレーム１０に対し交換可能に装着される構成となっている。
【００２５】
各感光体カートリッジ５１は、それぞれ、感光体ドラム５３と、帯電器５４と、回収ローラ５５とを主に有して構成されている。回収ローラ５５は、感光体ドラム５３上に付着した転写残トナーを回収するためのローラである。
【００２６】
各現像カートリッジ６１は、それぞれ、現像ローラ６３と、供給ローラ６４と、層厚規制ブレード６５と、アジテータ６６と、正帯電性のトナーが収容される収容部６７とを主に有して構成されている。
【００２７】
転写ユニット７０は、給紙トレイ２１とプロセスカートリッジ５０との間に設けられており、駆動ローラ７１と、従動ローラ７２と、無端状の搬送ベルト７３と、４つの転写ローラ７４とを主に備えている。搬送ベルト７３は、配列された各感光体ドラム５３に外側の面が対向するように駆動ローラ７１と従動ローラ７２との間に張設されている。そして、搬送ベルト７３の内側には、各感光体ドラム５３との間に搬送ベルト７３を挟持するように各転写ローラ７４が配置されている。
【００２８】
定着部８０は、画像形成部３０の４つのプロセスカートリッジ５０の後方に設けられている。この定着部８０は、用紙Ｓを加熱するための加熱ローラ８１と、この加熱ローラ８１との間に用紙Ｓを挟んで押圧するための加圧ローラ８２とを備えている。この加熱ローラ８１および加圧ローラ８２は、定着部フレーム８３に回転可能に支持されている。
【００２９】
排紙部９０は、定着部８０の後方に連続して設けられている。この排紙部９０は、少なくとも定着部８０から搬送される用紙Ｓを排紙経路９１に沿って排出口９２に搬送するための搬送ローラ９３と、排出口９２から排紙トレイ１３上に用紙Ｓを排紙するための排出ローラ９４とを排紙部フレーム９５に回転可能に支持している。
【００３０】
画像形成部３０では、感光体ドラム５３の表面が帯電器５４により一様に正帯電された後、ＬＥＤユニット４０によって露光されることで、感光体ドラム５３上に画像データに基づく静電潜像が形成される。また、収容部６７内のトナーは、アジテータ６６によって撹拌されつつ、供給ローラ６４を介して現像バイアスが印加された現像ローラ６３に供給され、現像ローラ６３と層厚規制ブレード６５の間に進入して一定厚さの薄層として現像ローラ６３上に担持される。そして、現像ローラ６３が感光体ドラム５３に接触するときにトナーが現像ローラ６３から感光体ドラム５３に供給されることで、静電潜像が可視像化され、感光体ドラム５３上に現像剤像としてのトナー像が形成される。
【００３１】
その後、画像形成部３０に供給された用紙Ｓが、感光体ドラム５３と搬送ベルト７３の間を搬送されることで、感光体ドラム５３上に形成されたトナー像が用紙Ｓ上に転写される。トナー像が転写された用紙Ｓは、定着部８０に搬送され、加熱ローラ８１と加圧ローラ８２の間を通過する間にトナー像が熱定着され、これによって、用紙Ｓ上に画像が形成される。そして、画像が形成された用紙Ｓは、搬送ローラ９３や排出ローラ９４により、排紙経路９１に沿って搬送され、排紙部フレーム９５の排出口９２を通って、本体フレーム１０の排紙トレイ１３上に排出される。
【００３２】
＜給紙部の詳細構造＞
図２に示すように、紙粉取りローラ２８およびレジストローラ２９は、相互に平行に対向した状態で搬送部フレーム１０１に回転自在に支持されている。そのための構造として、搬送部フレーム１０１の左側部分を構成する左フレーム部１０１Ａには、前後方向に沿って上方に突出する左側支持壁部１０１Ｃが一体に成形され、搬送部フレーム１０１の右側部分を構成する右フレーム部１０１Ｂには、前後方向に沿って上方に突出する右側支持壁部１０１Ｄが一体に成形されている。
【００３３】
左側支持壁部１０１Ｃおよび右側支持壁部１０１Ｄは、紙粉取りローラ２８およびレジストローラ２９を間に置いて相互に向かい合っている。そして、搬送部フレーム１０１の左フレーム部１０１Ａの左側支持壁部１０１Ｃと、右フレーム部１０１Ｂの右側支持壁部１０１Ｄとの間に紙粉取りローラ２８およびレジストローラ２９を回転自在に支持した搬送部ユニット１００は、本体フレーム１０における図示しない左側本体フレームと右側本体フレームとの間に装着される。なお、左側本体フレームおよび右側本体フレームは、絶縁性の合成樹脂で構成されている。
【００３４】
ここで、図３および図４に示すように、紙粉取りローラ２８の右側端部は導電性樹脂からなる導電軸受１０２によって回転自在に支持されており、紙粉取りローラ２８の左側端部は絶縁性樹脂からなる軸受（図示省略）によって回転自在に支持される。
【００３５】
一方、レジストローラ２９の右側端部は導電性を有する金属軸受１０３により回転自在に支持されている。この金属軸受１０３には、導電性のワイヤをコイル状に巻いて構成したコイル状アース部材１０９の一端部が圧接して導通されている。
【００３６】
ここで、図２に示した左側支持壁部１０１Ｃと右側支持壁部１０１Ｄとの間に回転自在に支持された紙粉取りローラ２８とレジストローラ２９との間に搬送される用紙Ｓを案内するために、図１および図３に示すように、紙粉取りローラ２８とレジストローラ２９の前側の下方には、シュート板金１０４が配置されている。このシュート板金１０４は、導電部材として、用紙Ｓにたまった静電気を除電する機能を有する。
【００３７】
図３に示した紙粉取りローラ２８用の導電軸受１０２、レジストローラ２９用の金属軸受１０３は、図２に示した右側支持壁部１０１Ｄにおける左側支持壁部１０１Ｃに対面する内側とは反対の外側に配置されて右フレーム部１０１Ｂに支持される。また、導電部材としてのシュート板金１０４は、左側支持壁部１０１Ｃと右側支持壁部１０１Ｄの間の両者の内側に配置されて搬送部フレーム１０１に支持されている。
【００３８】
ここで、図２に示すように、搬送部フレーム１０１の右側の端部には、紙粉取りローラ２８、シュート板金１０４およびレジストローラ２９のアース経路を構成するための導電金属製の第１ワイヤ１０５、第２ワイヤ１０６、第３ワイヤ１０７が配設されている。
【００３９】
第１ワイヤ１０５は、導電部材としてのシュート板金１０４に導通されるワイヤであり、図５および図６に示すように、導電軸受１０２の外周に巻装されることで、導電軸受１０２を介して紙粉取りローラ２８にも導通されている。
【００４０】
導電軸受１０２には、断面視Ｕ字状の保持部１０８が一体に成形されている。そして、この導電性のある保持部１０８に、第１ワイヤ１０５の一端部１０５Ａが係止される。なお、図６では、便宜上、第１ワイヤ１０５の一端部１０５Ａは、保持部１０８から外された状態で図示されている。この保持部１０８は、導電軸受１０２と共に、図２に示す右側支持壁部１０１Ｄの外側に設けられている。そして、第１ワイヤ１０５の他端部１０５Ｂは、図６に示すように屈曲することで、図８に示した右側支持壁部１０１Ｄに形成された貫通孔１０１Ｍを通して右側支持壁部１０１Ｄの外側から内側に延出し、図４に示すようにシュート板金１０４に導通される。
【００４１】
第２ワイヤ１０６は、カラープリンタ１の本体フレーム１０にアース部材として設けられている後述のアース用板金１１０に導通されるコイルである。この第２ワイヤ１０６は、図５および図６に示すように、一端部１０６Ａが保持部１０８に係止されて第１ワイヤ１０５の一端部１０５Ａに導通される。この第２ワイヤ１０６の他端部には、第３ワイヤ１０７の被係合部１０７Ｄに係合して導通するための導通用フック１０６Ｂが形成されている。
【００４２】
図８の（ａ）,（ｂ）に示すように、保持部１０８は、下方に向けて開く開放端１０８Ｃと、上方の閉塞端１０８Ｄとを有する略Ｕ字状、すなわち、上下逆向きのＵ字状ないしＶ字状の断面形状に形成されている。そして、この保持部１０８は、開放端１０８Ｃから閉塞端１０８Ｄに近づくにつれて内側の空間が狭くなるように傾斜した傾斜面を有する。すなわち、保持部１０８の内面は、略垂直な挟持面１０８Ａと、挟持面１０８Ａとの間隔が上方に向かって徐々に狭くなる４５度程度のガイド斜面１０８Ｂとを有している。
【００４３】
第２ワイヤ１０６の一端部１０６Ａの近傍には、一端部１０６Ａにばね弾性を付与するためのコイル部１０６Ｃが形成されている。また、第２ワイヤ１０６の他端部側には、導通用フック１０６Ｂにばね弾性を付与するためのコイル部１０６Ｄが形成されている。そして、第２ワイヤ１０６の導通用フック１０６Ｂとコイル部１０６Ｄとの間の部位には、導通用フック１０６Ｂを第３ワイヤ１０７の被係合部１０７Ｄに容易に係合できるように操作するための力点部１０６Ｅおよび支点部１０６Ｆが形成されている。
【００４４】
ここで、図１１に示すように、第２ワイヤ１０６は、搬送部フレーム１０１の当接面１０１Ｈに突設された支持突部１０１Ｋにコイル部１０６Ｄが嵌合された状態で、当接面１０１Ｈに当接する支点部１０６Ｆと、この支点部１０６Ｆから導通用フック１０６Ｂと反対側に当接面１０１Ｈから離間してコ字状に折り曲げられた力点部１０６Ｅとを有する。
【００４５】
図４および図５に示すように、第３ワイヤ１０７は、レジストローラ２９のアース経路を構成するためのワイヤであり、一端部に導通部１０７Ａがコ字状に折り曲げて形成され、他端部にコイル状アース部１０７Ｂがコイルばね状に巻かれて形成され、導通部１０７Ａとコイル状アース部１０７Ｂとの間に接面部１０７Ｃがコ字状に折り曲げて形成されている。
【００４６】
第３ワイヤ１０７の一端部の導通部１０７Ａは、図７に示すように、コイル状アース部材１０９の他端部と、この他端部を支持する搬送部フレーム１０１の支持座部１０１Ｃとの間に押圧状態で挟まれており、こうしてコイル状アース部材１０９の他端部に導通されている。
【００４７】
一方、第３ワイヤ１０７の他端部のコイル状アース部１０７Ｂは、右フレーム部１０１Ｂの当接面１０１Ｈに突設された支持突部１０１Ｊに巻装されて位置決めされている。このコイル状アース部１０７Ｂは、図７に示すように、図１に示したカラープリンタ１の本体フレーム１０に設けられて電気的に接地されているアース部材の一例としてのアース用板金１１０に対し、バネ部として弾性的に接触して導通される。
【００４８】
ここで、図７に示すように、第３ワイヤ１０７の中間部には、コ字状に折れ曲がって右側に突出する接面部１０７Ｃと、左側にＬ字状に折れ曲がる屈曲部１０７Ｆとが形成されている。この屈曲部１０７Ｆは、接面部１０７Ｃに連続して前後方向に延びる前後部１０７Ｅと、左右方向に延びる被係合部１０７Ｄとで構成されている。
【００４９】
このような第３ワイヤの中間部の屈曲部１０７Ｆがその延在方向と直交する方向へ移動するのを規制するための規制部として、右フレーム部１０１Ｂには、第１突起１０１Ｅおよび第２突起１０１Ｇが一体に成形されている。
【００５０】
第１突起１０１Ｅは、搬送部フレーム１０１の前後左右方向に沿って広がる第１挟持面１０１Ｄとの間に第３ワイヤ１０７の前後部１０７Ｅを挟み込んで上下方向の移動を規制している。一方、第２突起１０１Ｇは、搬送部フレーム１０１の上下左右方向に沿って広がる第２挟持面１０１Ｆとの間に第３ワイヤ１０７の被係合部１０７Ｄを挟み込んで前後方向の移動を規制している。この状態で、第３ワイヤ１０７の接面部１０７Ｃが第１挟持面１０１Ｄに当接している。
【００５１】
＜給紙部での作用効果＞
本実施形態の画像形成装置であるカラープリンタ１では、搬送部ユニット１００の紙粉取りローラ２８、シュート板金１０４およびレジストローラ２９のアース経路を構成するに当たり、まず、図８および図９に示す手順により、第１ワイヤ１０５の一端部１０５Ａと第２ワイヤ１０６の一端部１０６Ａとを導通させる。また、図１０に示す手順により、第２ワイヤ１０６の他端部の導通用フック１０６Ｂを第３ワイヤ１０７の被係合部１０７Ｄに係合させる。
【００５２】
詳しくは、第１ワイヤ１０５の一端部１０５Ａと第２ワイヤ１０６の一端部１０６Ａとを導通させる作業にあたっては、まず、図８に示すように、第１ワイヤ１０５の一端部１０５Ａを保持部１０８の開放端から挟持面１０８Ａとガイド斜面１０８Ｂとの間に挿入する。これにより、第１ワイヤ１０５の一端部１０５Ａは、巻き戻しのバネ弾性により、保持部１０８の開放端から上部の閉塞端に向けて付勢された状態で保持部１０８の内側に係止される。
【００５３】
続いて、図９に示すように、第２ワイヤ１０６の一端部１０６Ａを保持部１０８の開放端から挟持面１０８Ａとガイド斜面１０８Ｂとの間に挿入する。これにより、第２ワイヤ１０６の一端部１０６Ａは、ループ部１０６Ｃによるばね弾性により、保持部１０８の開放端から上部の閉塞端に向けて付勢された状態で保持部１０８の内側に係止される。
【００５４】
その際、第２ワイヤ１０６の一端部１０６Ａは、保持部１０８のガイド斜面１０８Ｂに沿って第１ワイヤ１０５の一端部１０５Ａ側へ案内され、こうして第２ワイヤ１０６の一端部１０６Ａが第１ワイヤ１０５の一端部１０５Ａに強く押圧されて確実に導通する。
【００５５】
つぎに、第２ワイヤ１０６の他端部の導通用フック１０６Ｂを第３ワイヤ１０７の被係合部１０７Ｄに係合させる作業に当たっては、まず、図１０の（ａ）に示すように、第２ワイヤ１０６の力点部１０６Ｅをコイル状アース部１０７Ｂの下方におき、この位置から図１０の（ｂ）に示すように、力点部１０６Ｅを当接面１０１Ｈに沿わせて上方に押し上げる。
【００５６】
そして、図１０の（ｃ）に示すように、第２ワイヤ１０６の導通用フック１０６Ｂを第３ワイヤ１０７の被係合部１０７Ｄに上方から係合させる。これにより、第２ワイヤ１０６の導通用フック１０６Ｂは、ループ部１０６Ｄから付与されたばね弾性により、第３ワイヤ１０７の被係合部１０７Ｄに強く押圧されて確実に導通する。
【００５７】
ここで、図１０の（ｂ）に示す作業においては、図１１に示すように、第２ワイヤ１０６の支点部１０６Ｆを搬送部フレーム１０１の当接面１０１Ｈに当接させ、この状態から力点部１０６Ｅを当接面１０１Ｈに向けて矢印方向に押圧する。すると、第２ワイヤ１０６の導通用フック１０６Ｂが当接面１０１Ｈから離間する方向に持ち上がるため、図１０の（ｃ）に示すように、第２ワイヤ１０６の導通用フック１０６Ｂを第３ワイヤ１０７の被係合部１０７Ｄに上方から係合させる作業が容易となる。
【００５８】
ここで、シュート板金１０４に他端部が導通された第１ワイヤ１０５の一端部１０５Ａが第２ワイヤ１０６一端部１０６Ａに強く押圧されて確実に導通され、また、第２ワイヤ１０６の導通用フック１０６Ｂが第３ワイヤ１０７の被係合部１０７Ｄに強く押圧されて確実に導通することにより、紙粉取りローラ２８から導電軸受１０２、第１ワイヤ１０５、第２ワイヤ１０６、第３ワイヤ１０７を介してコイル状アース部１０７Ｂに至るアース経路が構成される。また、シュート板金１０４から第１ワイヤ１０５、第２ワイヤ１０６、第３ワイヤ１０７を介してコイル状アース部１０７Ｂに至るアース経路が構成される。さらに、レジストローラ２９から金属軸受１０３、コイル状アース部材１０９、第３ワイヤ１０７を介してコイル状アース部１０７Ｂに至るアース経路が構成される。
【００５９】
このように、本実施形態のカラープリンタ１によれば、導電軸受１０２に一体的に備えられた保持部１０８において、第１ワイヤ１０５の一端部１０５Ａと第２ワイヤ１０６の一端部１０６Ａとが強固に導通され、かつ、第２ワイヤ１０６の他端部の導通用フック１０６Ｂと第３ワイヤ１０７の被係合部１０７Ｄとが強固に導通されることにより、紙粉取りローラ２８およびシュート板金１０４のアース経路を搬送部フレーム１０１の片側の例えば右フレーム部１０１Ｂ側に簡素に構成することができる。
【００６０】
ここで、本実施形態のカラープリンタ１において、図８に示した保持部１０８の断面形状は、幅の狭い逆Ｖ字状の断面形状としてもよい。
【００６１】
以上、本発明に係る画像形成装置の一実施形態のカラープリンタ１について説明したが、本発明の画像形成装置は、一実施形態のカラープリンタ１に限定されるものではなく、モノクロのプリンタ、複写機、複合機などに適用することができる。
【符号の説明】
【００６２】
１      カラープリンタ
Ｓ      用紙
１０    本体フレーム
２０    給紙部
２８    紙粉取りローラ
２９    レジストローラ
３０    画像形成部
８０    定着部
９０    排紙部
１００    搬送部ユニット
１０１    搬送部フレーム
１０１Ａ  左フレーム部
１０１Ｂ  右フレーム部
１０１Ｃ  左側支持壁部
１０１Ｄ  右側支持壁部
１０１Ｅ  第１突起（規制部）
１０１Ｇ  第２突起（規制部）
１０１Ｈ  当接面
１０２    導電軸受
１０３    金属軸受
１０４    シュート板金
１０５    第１ワイヤ
１０５Ａ  一端部
１０５Ｂ  他端部
１０６    第２ワイヤ
１０６Ａ  一端部
１０６Ｂ  導通用フック
１０６Ｅ  力点部
１０６Ｆ  支点部
１０７    第３ワイヤ
１０７Ｂ  コイル状アース部（バネ部）
１０８    保持部
１０８Ａ  挟持面
１０８Ｂ  ガイド斜面
【図１】
2015055867.tif 000003
【図２】
2015055867.tif 000004
【図３】
2015055867.tif 000005
【図４】
2015055867.tif 000006
【図５】
2015055867.tif 000007
【図６】
2015055867.tif 000008
【図７】
2015055867.tif 000009
【図８】
2015055867.tif 000010
【図９】
2015055867.tif 000011
【図１０】
2015055867.tif 000012
【図１１】
2015055867.tif 000013